(57)【要約】【課題】線材の曲げ加工が簡単で美麗な仕上がりが可能な線材曲げ具を提供する。【解決方法】線材曲げ具１は、ピン立設板３に立設する曲げ加工用のピン４の立設位置や配置などにより、所定の曲げ形状に線材Ｐを曲げ加工できる。一方の手で握り柄２を握り他方の手で線材Ｐに力を加えるだけであるから、簡単に線材Ｐを所定の形状に曲げ加工でき、ペンチ等の工具により挟んで曲げ加工する必要がないから、挟み傷が生じることがなく良好な仕上がりとなる。また、曲げ加工形状に応じて容易にピン４の立設位置を変更できる。さらに、曲げ加工用のピン４に設けた線材の曲げ加工の曲率を規制する案内輪１６に巻き付けることにより、簡単に所定の曲率に曲げ加工することができる。【選択図】        図１
2004243348.tif 000002
【特許請求の範囲】
【請求項１】
握り柄の先端に多数のピン立設孔を形成したピン立設板を設け、該ピン立設板に複数の曲げ加工用のピンを、隣り合う間隔が少なくとも曲げ加工に供する線材の線径以上の間隔に立設したことを特徴とする線材曲げ具。
【請求項２】
前記曲げ加工用のピンに雄ネジを形成し、前記ピン立設板のピン立設孔に形成した雌ネジに螺合させて立設するようにしたことを特徴とする請求項１に記載の線材曲げ具。
【請求項３】
前記曲げ加工用のピンに縮径部を形成し、該縮径部を前記ピン立設板のピン立設孔に挿通させて立設するようにしたことを特徴とする請求項１に記載の線材曲げ具。
【請求項４】
前記曲げ加工用のピンに、線材の曲げ加工の曲率を規制する案内輪を設けたことを特徴とする請求項１〜３の何れかに記載の線材曲げ具。
【発明の詳細な説明】
【０００１】
【産業上の利用分野】
本発明は、線材曲げ具に関するものである。
【０００２】
【従来技術】
線材を手作業で曲げ加工して所定の曲げ半径を形成するためには、ペンチ等の工具を用いて行っていた。
【０００３】
【発明が解決しようとする課題】
しかしながら、ペンチ等の工具に挟んで線材を曲げ加工する場合には、一挙動で所定の曲率に形成することが困難である。特に合成樹脂が被覆された線材の場合には、工具の挟み傷が残ってしまい良好な仕上がりが期待できない。さらに、ガーデニングの流行により、草花を生けた鉢類やポット等を釣り下げるためのフック等を、簡単に曲げ加工できる線材曲げ具が望まれている。
本発明は上記に鑑みなされたもので、線材の曲げ加工が簡単で美麗な仕上がりが可能な線材曲げ具を提供することを目的とする。
【０００４】
【課題を解決するための手段】
上記目的を達成するための請求項１に記載の線材曲げ具は、握り柄の先端に多数のピン立設孔を形成したピン立設板を設け、該ピン立設板に複数の曲げ加工用のピンを、隣り合う間隔が少なくとも曲げ加工に供する線材の線径以上の間隔に立設したことを特徴とする。
【０００５】
また、請求項２に記載の線材曲げ具掲示板は、請求項１に記載の構成において、前記曲げ加工用のピンに雄ネジを形成し、前記ピン立設板のピン立設孔に形成した雌ネジに螺合させて立設するようにしたことを特徴とする。
【０００６】
請求項３に記載の線材曲げ具は、請求項１に記載の構成において、前記曲げ加工用のピンに縮径部を形成し、該縮径部を前記ピン立設板のピン立設孔に挿通させて立設するようにしたことを特徴とする。
【０００７】
請求項４に記載の線材曲げ具は、請求項１〜請求項３の何れかに記載の構成において、前記曲げ加工用のピンに、線材の曲げ加工の曲率を規制する案内輪を設けたことを特徴とする。
【０００８】
【発明の作用及び効果】
請求項１に記載の線材曲げ具によれば、隣り合う間隔を少なくとも曲げ加工に供する線材の線径以上の間隔に複数の曲げ加工用のピンを立設し、線材を一つの曲げ加工用のピンに掛けるとともに、他の所定の曲げ加工用のピンに掛けて、該ピンに巻き付けるように力を加えて曲げ加工する。曲げ加工用のピンの立設位置や配置などにより、所定の曲げ形状に線材を曲げ加工できる。また、一方の手で握り柄を握り他方の手で線材に力を加えるだけであるから、線材の曲げ加工が簡単に行えるとともに、ペンチ等の工具により挟んで曲げ加工する必要がないから、挟み傷が生じることがなく良好な仕上がりとなる。
【０００９】
請求項２に記載の線材曲げ具によれば、曲げ加工用のピンに雄ネジを形成し、ピン立設板のピン立設孔に形成した雌ネジに螺合させて立設するようにしたから、曲げ加工用のピンの立設位置の変更が簡単にできる。
【００１０】
請求項３に記載の線材曲げ具によれば、曲げ加工用のピンに縮径部を形成し、該縮径部をピン立設板のピン立設孔に挿通させて立設するようにしたから、曲げ加工用のピンの立設位置の変更がより簡単にできる。
【００１１】
請求項４に記載の線材曲げ具によれば、曲げ加工用のピンに、線材の曲げ加工の曲率を規制する案内輪を設けたから、該案内輪に巻き付けることにより、簡単に所定の曲率に曲げ加工することができる。
【００１２】
【発明の実施形態】
本発明の実施形態について添付図面を参照して説明する。図１は線材曲げ具１の一部切欠平面図である。線材曲げ具１は、握り柄２、金属製のピン立設板３及び曲げ加工用のピン４とから構成されている。握り柄２は、２枚の合成樹脂板５から形成され、ピン立設板３の基部６をサンドウィッチ状に挟んでビス７により締着したものである。合成樹脂板５の平面形状は、片手で握り易いように所定位置にくびれ部８が形成されている。尚、握り柄２の材質を木製又は合成木材としてもよい。
【００１３】
ピン立設板３は、基部６の先端部に形成したピン立設面９に複数のピン立設孔１０を、縦方向及び横方向に所定間隔置きに穿設したものである。各ピン立設孔１０には雌ネジ１１が形成されている。曲げ加工用のピン（以下端にピンという）４は、図２に示すように曲げ加工用の円筒部１２に断面円弧状の曲げ案内溝１３が形成されている。そして、円筒部１２の先端に形成した縮径部１４に雄ネジ１５を形成し、ピン立設孔１０の雌ネジ１１に螺合してピン立設面９に略垂直に立設する。また、複数のピン４は、少なくとも曲げ加工に供する線材の線径以上の間隔が保持されるように立設する。
【００１４】
また、ピン立設孔１０はいわゆるばか穴として、ピン４の縮径部１４に雄ネジを設けないでそのまま挿通して立設してもよい（図３（ａ））。さらに、同図（ｂ）に示すように、ピン４の円筒部１２の下端部に、所定半径の案内輪１６を形成し、該案内輪１６の外周に断面円弧状の曲げ案内溝１７を形成してもよい。この案内輪１６は曲げ加工の曲率に応じた半径のものを適宜用意して用いる。この場合案内輪１６を別部品として、中心に設けた孔にピン４の円筒部１２を挿嵌する構成にすれば、製作が容易になる。その他、ピン４としてボルトを用いてもよい。
【００１５】
図４〜図７は、上記構成の線材曲げ具１により線材Ｐを曲げ加工する場合の説明図である。図４（ａ）に示すように、ピン立設板３に曲げ加工用のピン４ａ〜４ｅを立設して、線材Ｐの一端部をピン４ａに当接させ、途中をピン４ｃに掛けるとともに、該ピン４ｃ及び４ｄの円筒部１２の案内溝１３に巻き付けるように曲げ加工すると、同図（ｂ）に示す先端にＵ字形のフックＦを曲げ加工できる。
【００１６】
図５（ａ）に示すようにピン立設板３にピン４ａ，４ｂを立設し、ピン４ａと４ｂにより線材Ｐの先端にＵ字形のフックＦを曲げ加工し、続いて同図（ｂ）に示すように該Ｕ字形のフックＦをピン４ａ，４ｂ間に立てるとともに、フックＦから先方をピン４ｂの円筒部１２の案内溝１３に巻き付けるようにして直角に曲げると、同図（ｃ）に示すように線材Ｐの先端にフックＦを直角に曲げ加工できる。
【００１７】
図６（ａ）に示すように立設したピン４ａに対向して、上記案内輪１６を形成したピン４ｂを立設する。先ず線材Ｐの先端部をピン４ａに掛け、途中をピン４ｂの円筒部１２に巻き付けて曲げ加工し、細長いＵ字形状部を形成する。続いて、同図（ｂ）に示すようにＵ字形状部の根元部分をピン４に掛け、線材Ｐの途中をピン４ｂの案内輪１６の案内溝１７に巻き付けるように曲げ加工すると、同図（ｃ）に示すようにＵ字形状部の外側に曲げ加工された線材Ｐにより、挟み込み用の隙間Ｈを形成することができる。この隙間Ｈによる挟み込み力は、曲げ加工部分の曲率により調整できる。
【００１８】
図７（ａ）に示すようにピン４ａ〜４ｃを立設し、線材Ｐの途中をピン４ａに当てるとともに、ピン４ｂに掛け逆Ｕ字形に曲げる。続いてピン４ｃに掛けて逆Ｕ字形部に連続する部分をＵ字形に曲げ返してフックＦを形成する。そして、同図（ｂ）に示すようにフックＦを形成した線材Ｐをピン立設板３上にセットし、ピン４ｂに掛けて曲げ加工してＵ字形部よりも先方の直線部とフックＦよりも後方の直線部が略一直線上になるようにする。これにより、同図（ｃ）にしめすように直線状の線材Ｐの途中にフックＦを形成することができる。
【００１９】
尚、上記曲げ加工用のピン４を立設するためには、図８に示すようなピン立設孔１０を設けたピン立設板３を写したゲージＧを用意し、曲げ加工形状の種類に応じてピン立設位置に対応するピン立設孔１０の部分を塗り潰す等により示しておけば、所定位置にピン４を簡単に立設することができる。
【００２０】
上記したように本発明の線材曲げ具１は、ピン立設板３に立設するピン４の立設位置や配置などにより、所定の曲げ形状に線材Ｐを曲げ加工できる。また、一方の手で握り柄２を握り他方の手で線材Ｐに力を加えるだけであるから、簡単に線材Ｐを所定の形状に曲げ加工できるとともに、ペンチ等の工具により挟んで曲げ加工する必要がないから、挟み傷が生じることがなく良好な仕上がりとなる。
【００２１】
また、ピン４の立設位置の変更が簡単にできるから、曲げ加工形状に応じて容易に対応することができる。さらに、ピン４に設けた線材の曲げ加工の曲率を規制する案内輪１６に巻き付けることにより、簡単に所定の曲率に曲げ加工することができる。
【００２２】
尚、上記実施態様で説明したピン４の曲げ案内溝１３及び案内輪１６の曲げ案内溝１７は、必ずしも必要ではない。
【図面の簡単な説明】
【図１】線材曲げ具の一部切欠平面図である。
【図２】曲げ加工用のピンの斜視図である。
【図３】他の曲げ加工用のピンの斜視図である。
【図４】曲げ加工を示した説明図である。
【図５】曲げ加工を示した説明図である。
【図６】曲げ加工を示した説明図である。
【図７】曲げ加工を示した説明図である。
【図８】ゲージの平面図である。
【符号の説明】
１．．．線材曲げ具
２．．．握り柄
３．．．ピン立設板
４，４ａ〜４ｅ．．．曲げ加工用のピン
１０．．．ピン立設孔
１１．．．雌ネジ
１３．．．縮径部
１４．．．雄ネジ
１６．．．案内輪
【図１】
2004243348.tif 000003
【図２】
2004243348.tif 000004
【図３】
2004243348.tif 000005
【図４】
2004243348.tif 000006
【図５】
2004243348.tif 000007
【図６】
2004243348.tif 000008
【図７】
2004243348.tif 000009
【図８】
2004243348.tif 000010